(57)【要約】  キャリアアグリゲーション可能なキャリアの組み合わせを基地局に通知するユーザ装置が開示される。本発明の一態様は、基地局と無線信号を送受信する送受信部と、キャリアアグリゲーション可能なキャリアの組み合わせを各キャリアの帯域幅と共に示す能力情報を前記基地局に通知する能力情報通知部とを有するユーザ装置であって、前記能力情報通知部は、前記能力情報に示された全てのキャリアの組み合わせがキャリアアグリゲーション可能であることを通知するユーザ装置に関する。
2016189893.tif 000002
【特許請求の範囲】
【請求項１】
基地局と無線信号を送受信する送受信部と、
キャリアアグリゲーション可能なキャリアの組み合わせを各キャリアの帯域幅と共に示す能力情報を前記基地局に通知する能力情報通知部と、
を有するユーザ装置であって、
前記能力情報通知部は、前記能力情報に示された全てのキャリアの組み合わせがキャリアアグリゲーション可能であることを通知するユーザ装置。
【請求項２】
前記能力情報通知部は、キャリアアグリゲーション可能な全てのキャリアの組み合わせのうち１つのキャリアの組み合わせを通知する、請求項１記載のユーザ装置。
【請求項３】
前記基地局から報告省略機能の実行を指示する能力情報要求を受信すると、前記能力情報通知部は、当該ユーザ装置が前記報告省略機能をサポートしていることを通知すると共に、前記１つのキャリアの組み合わせを通知する、請求項１又は２記載のユーザ装置。
【請求項４】
前記キャリアの組み合わせは、同一の周波数バンド内のキャリアの組み合わせである、請求項１乃至３何れか一項記載のユーザ装置。
【発明の詳細な説明】
【技術分野】
【０００１】
本発明は、無線通信システムに関する。
【背景技術】
【０００２】
現在、ＬＴＥシステムの次世代の通信規格として、ＬＴＥ−Ａｄｖａｎｃｅｄの高機能化が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）とが設定される。プライマリセルは、ＬＴＥシステムのサービングセルと同様のセルであり、ユーザ装置とネットワークとの間の接続性を担保するためのセルである。他方、セカンダリセルは、プライマリセルに追加されてユーザ装置に設定されるセルである。【０００４】
ＬＴＥ規格では、図１に示されるように、同一の周波数バンド内の不連続な複数のキャリアを束ねるＩｎｔｒａ−ｂａｎｄ  Ｎｏｎ−ｃｏｎｔｉｇｕｏｕｓ  ＣＡが適用可能である。Ｉｎｔｒａ−ｂａｎｄ  Ｎｏｎ−ｃｏｎｔｉｇｕｏｕｓ  ＣＡでは、図示されるように、周波数バンド"ＢａｎｄＸ"内の離間した複数のキャリアを用いてキャリアアグリゲーションが実行される。３ＧＰＰ  ＴＳ  ３６．１０１では、図２に示されるようなＩｎｔｒａ−ｂａｎｄ  Ｎｏｎ−ｃｏｎｔｉｇｕｏｕｓ  ＣＡが適用可能なキャリアの組み合わせが規定されている。ここで、"ＣＡ＿４１Ａ−４１Ｃ"は、バンド４１における帯域幅（ＢＷ）クラスＡ（２０ＭＨｚなど）のキャリア４１Ａと当該キャリア４１Ａより高い周波数を有するＢＷクラスＣ（４０ＭＨｚなど）のキャリア４１Ｃとが、キャリアアグリゲーション可能な組み合わせであることを示している。また、"ＣＡ＿４１Ｃ−４１Ａ"は、キャリア４１Ｃと当該キャリア４１Ｃより高い周波数を有するキャリア４１Ａとが、キャリアアグリゲーション可能な組み合わせであることを示している。
【先行技術文献】
【非特許文献】
【０００５】
【非特許文献１】３ＧＰＰ  ＴＳ３６．１０１  Ｖ１２．７．０（２０１５−０３）
【非特許文献２】３ＧＰＰ  ＴＳ３６．３３１  Ｖ１２．５．０（２０１５−０３）
【発明の概要】
【発明が解決しようとする課題】
【０００６】
ＬＴＥシステムでは、ユーザ装置は当該ユーザ装置の能力を示す能力情報を基地局に通知する。現状のＬＴＥ規格（非特許文献２）では、ユーザ装置は、図３に示されるような能力情報によって、キャリアアグリゲーション可能なキャリアの組み合わせを通知している。すなわち、図示された能力情報によると、ユーザ装置は、ダウンリンクについてバンド４１のＢＷクラスＡ（４１Ａ）とＢＷクラスＣ（４１Ｃ）との２つのキャリアを用いたキャリアアグリゲーションをサポートしていることを示し、また、キャリア４１Ａに対応するキャリアによりアップリンク通信が可能であることを示している。【０００７】
しかしながら、当該能力情報では、ダウンリンクにおいて２つのキャリア４１Ａ，４１Ｃがキャリアアグリゲーション可能であることが通知可能であるにすぎず、図２の"４１Ａ−４１Ｃ"と"４１Ｃ−４１Ａ"との何れか一方又は双方のケースをサポートしているか適切に通知することはできない。【０００８】
上述した問題点に鑑み、本発明の課題は、キャリアアグリゲーション可能なキャリアの組み合わせを基地局に通知するユーザ装置を提供することである。
【課題を解決するための手段】
【０００９】
上記課題を解決するため、本発明の一態様は、基地局と無線信号を送受信する送受信部と、キャリアアグリゲーション可能なキャリアの組み合わせを各キャリアの帯域幅と共に示す能力情報を前記基地局に通知する能力情報通知部とを有するユーザ装置であって、前記能力情報通知部は、前記能力情報に示された全てのキャリアの組み合わせがキャリアアグリゲーション可能であることを通知するユーザ装置に関する。
【発明の効果】
【００１０】
本発明によると、ユーザ装置は、キャリアアグリゲーション可能なキャリアの組み合わせを基地局に通知することができる。
【図面の簡単な説明】
【００１１】
【図１】図１は、Ｉｎｔｒａ−ｂａｎｄ  Ｎｏｎ−ｃｏｎｔｉｇｕｏｕｓ  ＣＡを示す概略図である。
【図２】図２は、Ｉｎｔｒａ−ｂａｎｄ  Ｎｏｎ−ｃｏｎｔｉｇｕｏｕｓ  ＣＡのバンドコンビネーションの具体例を示す図である。
【図３】図３は、従来のＣＡバンドコンビネーションを通知するＵＥ能力情報のシグナリングデータ構造を示す図である。
【図４】図４は、Ｉｎｔｒａ−ｂａｎｄ  Ｎｏｎ−ｃｏｎｔｉｇｕｏｕｓ  ＣＡのバンドコンビネーションの具体例を示す概略図である。
【図５Ａ】図５Ａは、本発明の一実施例による無線通信システムを示す概略図である。
【図５Ｂ】図５Ｂは、本発明の一実施例によるユーザ装置のハードウェア構成を示すブロック図である。
【図５Ｃ】図５Ｃは、本発明の一実施例による基地局のハードウェア構成を示すブロック図である。
【図６】図６は、本発明の一実施例によるユーザ装置の構成を示すブロック図である。
【図７】図７は、本発明の一実施例によるシグナリングデータ構造を示す図である。
【図８】図８は、本発明の一実施例によるシグナリングデータ構造を示す図である。
【図９】図９は、本発明の一実施例によるシグナリングデータ構造を示す図である。
【図１０】図１０は、本発明の一実施例によるシグナリングデータ構造を示す図である。
【図１１】図１１は、本発明の一実施例によるシグナリングデータ構造を示す図である。
【図１２】図１２は、本発明の一実施例によるシグナリングデータ構造を示す図である。
【図１３】図１３は、本発明の一実施例によるシグナリングデータ構造を示す図である。
【図１４】図１４は、本発明の一実施例によるシグナリングデータ構造を示す図である。
【図１５】図１５は、本発明の一実施例によるシグナリングデータ構造を示す図である。
【発明を実施するための形態】
【００１２】
以下、図面に基づいて本発明の実施の形態を説明する。
【００１３】
以下の実施例では、キャリアアグリゲーション機能を有するユーザ装置が開示される。後述される実施例を概略すると、ユーザ装置は、ある周波数バンド内においてキャリアアグリゲーション可能なキャリアの組み合わせを能力情報において基地局に通知する。例えば、ユーザ装置が報告省略機能をサポートしている場合、ユーザ装置は、キャリアアグリゲーション可能な全ての組み合わせを個々に通知する代わりに、能力情報において１つの組み合わせのみを通知する。報告省略機能をサポートしたユーザ装置から当該１つの組み合わせを受信すると、基地局は、通知された組み合わせから構成される全ての組み合わせがキャリアアグリゲーション可能であると判断することができる。
【００１４】
また、現状のＬＴＥ規格による能力情報では、２つのキャリアを示す"ＢａｎｄＰａｒａｍｅｔｅｒｓ−ｒ１０"を記述する順序に意味付けはされておらず、当該能力情報を受信した基地局は、"４１Ａ−４１Ｃ"と"４１Ｃ−４１Ａ"との何れのケースをユーザ装置がサポートしているか判断することはできない。
【００１５】
また、"４１Ａ−４１Ａ"などの同じＢＷクラスのダウンリンクキャリアがサポートされている場合、現状のＬＴＥ規格による能力情報では、基地局は、図４に示されるように、何れのダウンリンクキャリアに対応するアップリンクキャリアがサポートされているか特定することができない。すなわち、図示されるように、１つの能力情報から２つのケースが想定され、基地局は、これら２つのケースの何れをユーザ装置がサポートしているか判断することができない。このとき、能力情報は、当該キャリアの組み合わせの各キャリアの周波数の順序を特定可能となるように記述される。これにより、当該能力情報を受信した基地局は、ユーザ装置によりサポートされるキャリアアグリゲーション可能なキャリアの組み合わせだけでなく、各キャリアの周波数に関するキャリアコンフィギュレーションを特定することができ、適切なキャリアアグリゲーションを実行することが可能になる。
【００１６】
図５Ａを参照して、本発明の一実施例による無線通信システムを説明する。図５Ａは、本発明の一実施例による無線通信システムを示す概略図である。
【００１７】
図５Ａに示されるように、無線通信システム１０は、ユーザ装置１００及び基地局２００を有する。無線通信システム１０は、ユーザ装置１００が基地局２００により提供されるプライマリセル（ＰＣｅｌｌ）及びセカンダリセル（ＳＣｅｌｌ）を同時に用いて通信するキャリアアグリゲーションをサポートし、具体的には、ＬＴＥ−Ａｄｖａｎｃｅｄシステムであってもよい。図示されるように、ユーザ装置１００は、２つのキャリアＣＣ＃１，ＣＣ＃２を利用して基地局２００と通信する。図示された実施例では、基地局２００しか示されていないが、一般には、無線通信システム１０のサービスエリアをカバーするよう多数の基地局が配置される。
【００１８】
ユーザ装置１００は、基地局２００により提供される複数のキャリアを同時に利用することによって基地局２００と通信するキャリアアグリゲーション機能を有する。典型的には、ユーザ装置１００は、図示されるように、スマートフォン、携帯電話、タブレット、モバイルルータ、ウェアラブル端末などの無線通信機能を備えた何れか適切な情報処理装置であってもよい。図５Ｂに示されるように、ユーザ装置１００は、プロセッサなどのＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）やフラッシュメモリなどのメモリ装置１０２、基地局２００との間で無線信号を送受信するための無線通信装置１０３、入出力装置や周辺装置などのユーザインタフェース１０４などから構成される。例えば、後述されるユーザ装置１００の各機能及び処理は、メモリ装置１０２に格納されているデータやプログラムをＣＰＵ１０１が処理又は実行することによって実現されてもよい。しかしながら、ユーザ装置１００は、上述したハードウェア構成に限定されず、後述する処理の１以上を実現する回路などにより構成されてもよい。
【００１９】
基地局２００は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００は、２つのキャリアＣＣ＃１，ＣＣ＃２を提供し、これらのキャリアを同時に利用して通信するキャリアアグリゲーション機能を備える。
【００２０】
図５Ｃに示されるように、基地局２００は、典型的には、ユーザ装置１００との間で無線信号を送受信するためのアンテナ２０１、隣接する基地局と通信するための第１通信インタフェース（Ｘ２インタフェースなど）２０２、コアネットワークと通信するための第２通信インタフェース（Ｓ１インタフェースなど）２０３、ユーザ装置１００との送受信信号を処理するためのプロセッサ２０４や回路、メモリ装置２０５などのハードウェアリソースにより構成される。後述される基地局２００の各機能及び処理は、メモリ装置２０５に格納されているデータやプログラムをプロセッサ２０４が処理又は実行することによって実現されてもよい。しかしながら、基地局２００は、上述したハードウェア構成に限定されず、他の何れか適切なハードウェア構成を有してもよい。
【００２１】
次に、図６〜１３を参照して、本発明の一実施例によるユーザ装置１００を説明する。図６は、本発明の一実施例によるユーザ装置１００の構成を示すブロック図である。
【００２２】
図６に示されるように、ユーザ装置１００は、送受信部１１０及び能力情報通知部１２０を有する。
【００２３】
送受信部１１０は、基地局２００と無線信号を送受信する。具体的には、ダウンリンク通信では、送受信部１１０は、基地局２００からＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）などの各種ダウンリンクチャネルを受信する。一方、アップリンク通信では、送受信部１１０は、基地局２００にＰＵＣＣＨ（Ｐｈｙｓｉｃａｌ  Ｕｐｌｉｎｋ  Ｃｏｎｔｒｏｌ  Ｃｈａｎｎｅｌ）やＰＵＳＣＨ（Ｐｈｙｓｉｃａｌ  Ｕｐｌｉｎｋ  Ｓｈａｒｅｄ  Ｃｈａｎｎｅｌ）などの各種アップリンクチャネルを送信する。また、基地局２００によってキャリアアグリゲーションが設定された場合、送受信部１１０は、設定された複数のキャリアを同時に利用して基地局２００と通信する。
【００２４】
能力情報通知部１２０は、キャリアアグリゲーション可能なキャリアの組み合わせを各キャリアの帯域幅と共に示す能力情報を基地局２００に通知する。このとき、能力情報通知部１２０は、各キャリアの周波数の順序を特定するようキャリアアグリゲーション可能なキャリアの組み合わせを記述した能力情報を通知する。具体的には、ユーザ装置１００がＢａｎｄＸのＢＷクラスＡ（２０ＭＨｚなど）のキャリア（ＢａｎｄＸＡ）と、当該ＢａｎｄＸＡより高い周波数を有するＢａｎｄＸのＢＷクラスＣ（４０ＭＨｚなど）のキャリア（ＢａｎｄＸＣ）との組み合わせ（ＢａｎｄＸＡ−ＢａｎｄＸＣ）によりキャリアアグリゲーション可能であるとする。このとき、能力情報通知部１２０は、２つのキャリアＢａｎｄＸＡ，ＢａｎｄＸＣの組み合わせによりキャリアアグリゲーション可能であるだけでなく、ＢａｎｄＸＡが相対的に低い周波数を有し、ＢａｎｄＸＣが相対的に高い周波数を有するという周波数の順序を特定した能力情報を基地局２００に通知する。
【００２５】
一実施例では、能力情報通知部１２０は、周波数の昇順により各キャリアを能力情報に列記してもよい。すなわち、能力情報通知部１２０は、キャリアアグリゲーション可能なキャリアの組み合わせの各キャリアを、各キャリアの周波数の昇順により能力情報に列記してもよい。すなわち、各キャリアを列記する順序に意味付けのない現状のＬＴＥ規格と異なり、本実施例による能力情報は、各キャリアを列記する順序に意味付けが付与される。
【００２６】
一例として、ユーザ装置１００が、図７に示されるように、ＢａｎｄＸＡと当該ＢａｎｄＸＡより高い周波数を有するＢａｎｄＸＣとの組み合わせ（ＢａｎｄＸＡ−ＢａｎｄＸＣ）によりダウンリンクキャリアアグリゲーション可能であり、ＢａｎｄＸＡのペアバンドによりアップリンク通信可能であるとする。このとき、能力情報通知部１２０は、図７に示されるように、キャリアアグリゲーションをサポートするキャリアの組み合わせを通知する"ＢａｎｄＣｏｍｂｉｎａｔｉｏｎＰａｒａｍｅｔｅｒｓ−ｒ１０"において、相対的に周波数の低いダウンリンク用のＢａｎｄＸＡと、対応するアップリンク用のキャリアとを示す"ＢａｎｄＰａｒａｍｅｔｅｒｓ−ｒ１０"を能力情報の上位に記述し、相対的に周波数の高いダウンリンク用のＢａｎｄＸＣを示す"ＢａｎｄＰａｒａｍｅｔｅｒｓ−ｒ１０"を能力情報の下位に記述する。当該能力情報を受信すると、基地局２００は、"ＢａｎｄＣｏｍｂｉｎａｔｉｏｎＰａｒａｍｅｔｅｒｓ−ｒ１０"の上位に記述されているＢａｎｄＸＡが相対的に低い周波数を有し、下位に記述されているＢａｎｄＸＣが相対的に高い周波数を有すると判断することができ、図７に示されるようなキャリアコンフィギュレーションによりユーザ装置１００と通信可能であることが認識できる。
【００２７】
あるいは、他の例として、ユーザ装置１００が、図８に示されるように、ＢａｎｄＸＣと当該ＢａｎｄＸＣより高い周波数を有するＢａｎｄＸＡとの組み合わせ（ＢａｎｄＸＣ−ＢａｎｄＸＡ）によりダウンリンクキャリアアグリゲーション可能であり、ＢａｎｄＸＡのペアバンドによりアップリンク通信可能であるとする。このとき、能力情報通知部１２０は、図８に示されるように、"ＢａｎｄＣｏｍｂｉｎａｔｉｏｎＰａｒａｍｅｔｅｒｓ−ｒ１０"において、相対的に周波数の低いダウンリンク用のＢａｎｄＸＣを示す"ＢａｎｄＰａｒａｍｅｔｅｒｓ−ｒ１０"を能力情報の上位に記述し、相対的に周波数の高いダウンリンク用のＢａｎｄＸＡと、対応するアップリンク用のキャリアとを示す"ＢａｎｄＰａｒａｍｅｔｅｒｓ−ｒ１０"を能力情報の下位に記述する。当該能力情報を受信すると、基地局２００は、"ＢａｎｄＣｏｍｂｉｎａｔｉｏｎＰａｒａｍｅｔｅｒｓ−ｒ１０"の上位に記述されているＢａｎｄＸＣが相対的に低い周波数を有し、下位に記述されているＢａｎｄＸＡが相対的に高い周波数を有すると判断することができ、図８に示されるようなキャリアコンフィギュレーションによりユーザ装置１００と通信可能であることが認識できる。
【００２８】
また、他の例として、ユーザ装置１００が、図９に示されるように、ＢａｎｄＸＡと当該ＢａｎｄＸＡより高い周波数を有するＢａｎｄＸＣとの組み合わせ（ＢａｎｄＸＡ−ＢａｎｄＸＣ）によりダウンリンクキャリアアグリゲーション可能であり、ＢａｎｄＸＣのペアバンドによりアップリンク通信可能であるとする。このとき、能力情報通知部１２０は、図９に示されるように、"ＢａｎｄＣｏｍｂｉｎａｔｉｏｎＰａｒａｍｅｔｅｒｓ−ｒ１０"において、相対的に周波数の低いダウンリンク用のＢａｎｄＸＡを示す"ＢａｎｄＰａｒａｍｅｔｅｒｓ−ｒ１０"を能力情報の上位に記述し、相対的に周波数の高いダウンリンク用のＢａｎｄＸＣと、対応するアップリンク用のキャリアとを示す"ＢａｎｄＰａｒａｍｅｔｅｒｓ−ｒ１０"を能力情報の下位に記述する。当該能力情報を受信すると、基地局２００は、"ＢａｎｄＣｏｍｂｉｎａｔｉｏｎＰａｒａｍｅｔｅｒｓ−ｒ１０"の上位に記述されているＢａｎｄＸＡが相対的に低い周波数を有し、下位に記述されているＢａｎｄＸＣが相対的に高い周波数を有すると判断することができ、図９に示されるようなキャリアコンフィギュレーションによりユーザ装置１００と通信可能であることが認識できる。
【００２９】
なお、ＢａｎｄＸＣに対応するアップリンク用のキャリアとしてＢＷクラスＡのキャリアが利用される場合（"ＢａｎｄＰａｒａｍｅｔｅｒｓＵＬ−ｒ１０"の"ＣＡ−ＢａｎｄｗｉｄｔｈＣｌａｓｓ−ｒ１０"が"Ａ"である場合）、図９に示されるような２つのケースのキャリアコンフィギュレーションが想定される。すなわち、ＢａｎｄＸＣに対応するアップリンク用のキャリアにおける相対的に低い周波数部分をアップリンク通信に利用する場合（ケースＣ１）と、相対的に高い周波数部分をアップリンク通信に利用する場合（ケースＣ２）とが想定される。この場合、報知情報通知部１２０は、何れの部分帯域がアップリンク通信をサポートするか示してもよい。このようにして、能力情報通知部１２０は、キャリアアグリゲーション可能なダウンリンクキャリアの組み合わせと共に、ダウンリンクキャリアに対応するアップリンクキャリア又は該アップリンクキャリアの部分帯域を通知してもよい。これにより、基地局２００は、ケースＣ１，Ｃ２のキャリアコンフィギュレーションの何れをユーザ装置１００がサポートしているか判断することができる。
【００３０】
また、他の例として、ユーザ装置１００が、図１０に示されるように、ＢａｎｄＸＣと当該ＢａｎｄＸＣより高い周波数を有するＢａｎｄＸＡとの組み合わせ（ＢａｎｄＸＣ−ＢａｎｄＸＡ）によりダウンリンクキャリアアグリゲーション可能であり、ＢａｎｄＸＣのペアバンドによりアップリンク通信可能であるとする。このとき、能力情報通知部１２０は、図１０に示されるように、"ＢａｎｄＣｏｍｂｉｎａｔｉｏｎＰａｒａｍｅｔｅｒｓ−ｒ１０"において、相対的に周波数の低いダウンリンク用のＢａｎｄＸＣと、対応するアップリンク用のキャリアとを示す"ＢａｎｄＰａｒａｍｅｔｅｒｓ−ｒ１０"を能力情報の上位に記述し、相対的に周波数の高いダウンリンク用のＢａｎｄＸＡを示す"ＢａｎｄＰａｒａｍｅｔｅｒｓ−ｒ１０"を能力情報の下位に記述する。当該能力情報を受信すると、基地局２００は、"ＢａｎｄＣｏｍｂｉｎａｔｉｏｎＰａｒａｍｅｔｅｒｓ−ｒ１０"の上位に記述されているＢａｎｄＸＣが相対的に低い周波数を有し、下位に記述されているＢａｎｄＸＡが相対的に高い周波数を有すると判断することができ、図１０に示されるようなキャリアコンフィギュレーションによりユーザ装置１００と通信可能であることが認識できる。
【００３１】
なお、ＢａｎｄＸＣに対応するアップリンク用のキャリアとしてＢＷクラスＡのキャリアが利用される場合（"ＢａｎｄＰａｒａｍｅｔｅｒｓＵＬ−ｒ１０"の"ＣＡ−ＢａｎｄｗｉｄｔｈＣｌａｓｓ−ｒ１０"が"Ａ"である場合）、図１０に示されるような２つのケースのキャリアコンフィギュレーションが想定される。すなわち、ＢａｎｄＸＣに対応するアップリンク用のキャリアの相対的に低い周波数部分をアップリンク通信に利用する場合（ケースＤ１）と、相対的に高い周波数部分をアップリンク通信に利用する場合（ケースＤ２）とが想定される。この場合、報知情報通知部１２０は、何れの部分帯域がアップリンク通信をサポートするか示してもよい。このようにして、能力情報通知部１２０は、キャリアアグリゲーション可能なダウンリンクキャリアの組み合わせと共に、ダウンリンクキャリアに対応するアップリンクキャリア又は該アップリンクキャリアの部分帯域を通知してもよい。これにより、基地局２００は、ケースＤ１，Ｄ２のキャリアコンフィギュレーションの何れをユーザ装置１００がサポートしているか判断することができる。
【００３２】
なお、本発明は、上述した２つのキャリアに限定されるものでなく、３つ以上のキャリアの組み合わせについても適用可能である。例えば、ユーザ装置１００がＢａｎｄＸのＢＷクラスＡのキャリア（ＢａｎｄＸＡ）と、当該ＢａｎｄＸＡより高い周波数を有するＢａｎｄＸのＢＷクラスＣのキャリア（ＢａｎｄＸＣ）と、当該ＢａｎｄＸＣより高い周波数を有するＢａｎｄＸのＢＷクラスＡのキャリア（ＢａｎｄＸＡ）との組み合わせ（ＢａｎｄＸＡ−ＢａｎｄＸＣ−ＢａｎｄＸＡ）によりキャリアアグリゲーション可能であるとする。このとき、能力情報通知部１２０は、これらのキャリアＢａｎｄＸＡ，ＢａｎｄＸＣの組み合わせによりキャリアアグリゲーション可能であるだけでなく、ＢａｎｄＸＡが最も低い周波数を有し、ＢａｎｄＸＣが中間の周波数を有し、ＢａｎｄＸＡが最も高い周波数を有するという周波数の順序を特定した能力情報を基地局２００に通知してもよい。
【００３３】
上述した実施例では、キャリアアグリゲーション可能な異なるＢＷクラスの複数のキャリアを通知することに着目したが、本発明は、これに限定されるものでなく、キャリアアグリゲーション可能な同一のＢＷクラスの複数のキャリアを通知する実施例に同様に適用可能である。ユーザ装置１００が、図１１のケースＥ１に示されるように、ＢａｎｄＸＡと当該ＢａｎｄＸＡより高い周波数を有するＢａｎｄＸＡとの組み合わせ（ＢａｎｄＸＡ−ＢａｎｄＸＡ）によりダウンリンクキャリアアグリゲーション可能であり、相対的に低い周波数のＢａｎｄＸＡのペアバンドによりアップリンク通信可能であるとする。このとき、能力情報通知部１２０は、図１１の左側のシグナリング例に示されるように、"ＢａｎｄＣｏｍｂｉｎａｔｉｏｎＰａｒａｍｅｔｅｒｓ−ｒ１０"において、相対的に周波数の低いダウンリンク用のＢａｎｄＸＡと、対応するアップリンク用のキャリアとを示す"ＢａｎｄＰａｒａｍｅｔｅｒｓ−ｒ１０"を能力情報の上位に記述し、相対的に周波数の高いダウンリンク用のＢａｎｄＸＡを示す"ＢａｎｄＰａｒａｍｅｔｅｒｓ−ｒ１０"を能力情報の下位に記述する。当該能力情報を受信すると、基地局２００は、上位の"ＢａｎｄＣｏｍｂｉｎａｔｉｏｎＰａｒａｍｅｔｅｒｓ−ｒ１０"にアップリンク用のキャリアが記述されているため、図１１のケースＥ１に示されるようなキャリアコンフィギュレーションによりユーザ装置１００と通信可能であると認識できる。他方、ユーザ装置１００が、図１１のケースＥ２に示されるように、ＢａｎｄＸＡと当該ＢａｎｄＸＡより高い周波数を有するＢａｎｄＸＡとの組み合わせ（ＢａｎｄＸＡ−ＢａｎｄＸＡ）によりダウンリンクキャリアアグリゲーション可能であり、相対的に高い周波数のＢａｎｄＸＡのペアバンドによりアップリンク通信可能であるとする。このとき、能力情報通知部１２０は、図１１の右側のシグナリング例に示されるように、"ＢａｎｄＣｏｍｂｉｎａｔｉｏｎＰａｒａｍｅｔｅｒｓ−ｒ１０"において、相対的に周波数の低いダウンリンク用のＢａｎｄＸＡを示す"ＢａｎｄＰａｒａｍｅｔｅｒｓ−ｒ１０"を能力情報の上位に記述し、相対的に周波数の高いダウンリンク用のＢａｎｄＸＡと、対応するアップリンク用のキャリアとを示す"ＢａｎｄＰａｒａｍｅｔｅｒｓ−ｒ１０"を能力情報の下位に記述する。当該能力情報を受信すると、基地局２００は、下位の"ＢａｎｄＣｏｍｂｉｎａｔｉｏｎＰａｒａｍｅｔｅｒｓ−ｒ１０"にアップリンク用のキャリアが記述されているため、図１１のケースＥ２に示されるようなキャリアコンフィギュレーションによりユーザ装置１００と通信可能であると認識できる。
【００３４】
図１２は、本発明の一実施例によるシグナリングデータ構造を示す図である。能力情報通知部１２０は、図１２に示されるような能力情報を基地局２００に通知してもよい。図示された能力情報によると、パラメータ"ＢａｎｄＣｏｍｂｉｎａｔｉｏｎＰａｒａｍｅｔｅｒｓ−ｒ１０"以降において、キャリアアグリゲーション可能なキャリアの組み合わせの各キャリアが、周波数の昇順にパラメータ"ＢａｎｄＰａｒａｍｅｔｅｒｓ−ｒ１０"により規定される。
【００３５】
他の実施例では、能力情報通知部１２０は、各キャリアの周波数の順序を関連する帯域幅によって特定してもよい。例えば、ユーザ装置１００が"ＢａｎｄＸＡ−ＢａｎｄＸＣ"をサポートしている場合、能力情報通知部１２０は、図３に示された既存の能力情報によりＢａｎｄＸＡとＢａｎｄＸＣとの２つのキャリアがサポートされていることを通知すると共に、これらのキャリアの周波数の順序を関連する帯域幅により（例えば、｛Ａ，Ｃ｝など）示してもよい。同様に、ユーザ装置１００が"ＢａｎｄＸＣ−ＢａｎｄＸＡ"をサポートしている場合、能力情報通知部１２０は、図３に示された既存の能力情報によりＢａｎｄＸＡとＢａｎｄＸＣとの２つのキャリアがサポートされていることを通知すると共に、これらのキャリアの周波数の順序を関連する帯域幅により（例えば、｛Ｃ，Ａ｝など）示してもよい。具体的には、能力情報通知部１２０は、図１３Ａに示されるようなパラメータ"ＣＡ−ＢａｎｄｗｉｄｔｈＣｌａｓｓ−ｒ１０"を追加することによって、キャリアアグリゲーション可能なキャリアの組み合わせの各キャリアの周波数の順序を通知してもよい。
【００３６】
更なる他の実施例では、能力情報通知部１２０は、能力情報に示された全てのキャリアの組み合わせがキャリアアグリゲーション可能であることを通知してもよい。例えば、ユーザ装置１００が、ＢａｎｄＸＡとＢａｎｄＸＣとの２つのキャリアの全ての組み合わせ、すなわち、"ＢａｎｄＸＡ−ＢａｎｄＸＡ"、"ＢａｎｄＸＡ−ＢａｎｄＸＣ"、"ＢａｎｄＸＣ−ＢａｎｄＸＡ"及び"ＢａｎｄＸＣ−ＢａｎｄＸＣ"をサポートしているとする。この場合、能力情報通知部１２０は、全ての組み合わせを個々に通知する代わりに、能力情報に示された全てのキャリアの組み合わせがキャリアアグリゲーション可能であること示すパラメータを設定してもよい。具体的には、能力情報通知部１２０は、図３に示された既存の能力情報によりＢａｎｄＸＡとＢａｎｄＸＣとの２つのキャリアがサポートされていることを通知すると共に、図１３Ｂに示されるようなパラメータ"ａｌｌＣｏｍｂｉｎａｔｉｏｎＳｕｐｐｏｒｔｅｄ−ｒ１０"を"ＴＲＵＥ"に設定することによって、これら２つのキャリアの全ての組み合わせがサポートされていることを示してもよい。
【００３７】
また、能力情報通知部１２０は、キャリアアグリゲーション可能な全てのキャリアの組み合わせのうち１つのキャリアの組み合わせを通知してもよい。すなわち、図１３Ｂに関して上述したようなパラメータを使用することなく、能力情報通知部１２０は、単にキャリアアグリゲーション可能な全てのキャリアの組み合わせのうち１つのキャリアの組み合わせを基地局２００に能力情報として通知してもよい。例えば、ユーザ装置１００が、ＢａｎｄＸＡとＢａｎｄＸＣとの２つのキャリアの全ての組み合わせ、すなわち、"ＢａｎｄＸＡ−ＢａｎｄＸＡ"、"ＢａｎｄＸＡ−ＢａｎｄＸＣ"、"ＢａｎｄＸＣ−ＢａｎｄＸＡ"及び"ＢａｎｄＸＣ−ＢａｎｄＸＣ"をサポートしているとする。この場合、能力情報通知部１２０は、全ての組み合わせを個々に通知する代わりに、単に１つの組み合わせ（"ＢａｎｄＸＡ−ＢａｎｄＸＣ"など）を能力情報として基地局２００に通知してもよい。当該組み合わせを受信すると、基地局２００は、当該組み合わせから構成される他の全ての組み合わせ、すなわち、"ＢａｎｄＸＡ−ＢａｎｄＸＡ"、"ＢａｎｄＸＡ−ＢａｎｄＸＣ"、"ＢａｎｄＸＣ−ＢａｎｄＸＡ"及び"ＢａｎｄＸＣ−ＢａｎｄＸＣ"がキャリアアグリゲーション可能であると判断する。本実施例では、特別なパラメータを使用することなく、単に１つの組み合わせを通知することによって、当該組み合わせから構成される全ての組み合わせがキャリアアグリゲーション可能であることを通知することができる。
【００３８】
さらに、１つの組み合わせを通知することによって、当該組み合わせから構成される他の全ての組み合わせがキャリアアグリゲーション可能であることを明示的に示す報告省略機能がユーザ装置１００に設定されてもよい。ユーザ装置１００が当該報告省略機能をサポートする場合、基地局２００から報告省略機能の実行を指示されると、能力情報通知部１２０は、当該報告省略機能が設定されていることを示すと共に、キャリアアグリゲーション可能な全ての組み合わせのうち１つの組み合わせを基地局２００に通知する。具体的には、基地局２００が、図１４に示されるような報告省略機能の実行を指示するパラメータ"ｒｅｄｕｃｅｄＩｎｔｒａＢａｎｄＮｏｎＣｏｎｔＣｏｍｂ"を含む能力情報要求"ＵＥＣａｐａｂｉｌｉｔｙＥｎｑｕｉｒｙ"をユーザ装置１００に送信する。当該能力情報要求に対して、図１５に示されるように、当該報告省略機能をサポートするユーザ装置１００は、キャリアアグリゲーション可能な全ての組み合わせを通知する代わりに、１つの組み合わせのみを能力情報"ＵＥ−ＥＵＴＲＡ−Ｃａｐａｂｉｌｉｔｙ"において通知する。当該能力情報を受信すると、基地局２００は、受信した組み合わせから構成可能な全ての組み合わせがキャリアアグリゲーション可能であると判断できる。
【００３９】
例えば、報告省略機能をサポートするユーザ装置１００が、ＢａｎｄＸＡとＢａｎｄＸＣとの２つのキャリアの全ての組み合わせ、すなわち、"ＢａｎｄＸＡ−ＢａｎｄＸＡ"、"ＢａｎｄＸＡ−ＢａｎｄＸＣ"、"ＢａｎｄＸＣ−ＢａｎｄＸＡ"及び"ＢａｎｄＸＣ−ＢａｎｄＸＣ"をサポートしているとする。このとき、基地局２００が、"ｒｅｄｕｃｅｄＩｎｔｒａＢａｎｄＮｏｎＣｏｎｔＣｏｍｂ＝ｔｒｕｅ"の"ＵＥＣａｐａｂｉｌｉｔｙＥｎｑｕｉｒｙ"をユーザ装置１００に送信すると、能力情報通知部１２０は、報告省略機能をサポートしていること示す"ｒｅｄｕｃｅｄＩｎｔｒａＢａｎｄＮｏｎＣｏｎｔＣｏｍｂ＝ｓｕｐｐｏｒｔｅｄ"と共に、１つの組み合わせ"ＢａｎｄＸＡ−ＢａｎｄＸＣ"を通知する。この場合、基地局２００は、通知された"ＢａｎｄＸＡ−ＢａｎｄＸＣ"に加えて、その他の組み合わせ"ＢａｎｄＸＡ−ＢａｎｄＸＡ"、"ＢａｎｄＸＣ−ＢａｎｄＸＡ"及び"ＢａｎｄＸＣ−ＢａｎｄＸＣ"をユーザ装置１００がサポートしていると判断することができる。このように、基地局から報告省略機能の実行を指示する能力情報要求を受信すると、能力情報通知部１２０は、ユーザ装置１００が報告省略機能をサポートしていることを通知すると共に、１つのキャリアの組み合わせを通知してもよい。
【００４０】
上述した実施例は、ＬＴＥシステム及びＬＴＥ−Ａｄｖａｎｃｅｄシステムに着目したが、本発明は、これに限定されるものでなく、例えば、ＣＤＭＡ（Ｃｏｄｅ  Ｄｉｖｉｓｉｏｎ  Ｍｕｌｔｉｐｌｅ  Ａｃｃｅｓｓ）２０００、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｕｌｔｒａ−Ｗｉｄｅｂａｎｄ（ＵＷＢ）、Ｂｌｕｅｔｏｏｔｈ（登録商標）及び／又は他の何れか適切なシステムを利用する無線通信システムに適用されてもよい。また、上述した情報及び信号は、様々な異なる技術及び技術の何れかを使用して表されてもよい。例えば、上述した説明全体にわたって言及されたデータ、命令、コマンド、情報、信号、ビット、シンボル及びチップは、電圧、電流、電磁波、磁界若しくは磁性粒子、光場若しくは光子、又はこれらの何れかの組み合わせにより表されてもよい。また、ソフトウェア又は命令はまた、伝送媒体を介し送信可能である。例えば、ソフトウェアが同軸ケーブル、光ファイバケーブル、ツイストペア、デジタル加入者回線（ＤＳＬ）、又は赤外線、無線及びマイクロ波などのワイヤレス技術を使用してウェブサイト、サーバ又は他のリモートソースから送信される場合、同軸ケーブル、光ファイバケーブル、ツイストペア、デジタル加入者回線（ＤＳＬ）、又は赤外線、無線及びマイクロ波などのワイヤレス技術は伝送媒体の定義内に含まれる。
【００４１】
以上、本発明の実施例について詳述したが、本発明は上述した特定の実施形態に限定されるものではなく、特許請求の範囲に記載された本発明の要旨の範囲内において、種々の変形・変更が可能である。
【００４２】
本出願は、２０１５年５月２２日に出願した日本国特許出願２０１５−１０４６９５号の優先権の利益に基づき、これを主張するものであり、２０１５−１０４６９５号の全内容を本出願に援用する。
【符号の説明】
【００４３】
１０  無線通信システム
１００  ユーザ装置
１１０  送受信部
１２０  能力情報通知部
２００  基地局
【図１】
2016189893.tif 000003
【図２】
2016189893.tif 000004
【図３】
2016189893.tif 000005
【図４】
2016189893.tif 000006
【図５Ａ】
2016189893.tif 000007
【図５Ｂ】
2016189893.tif 000008
【図５Ｃ】
2016189893.tif 000009
【図６】
2016189893.tif 000010
【図７】
2016189893.tif 000011
【図８】
2016189893.tif 000012
【図９】
2016189893.tif 000013
【図１０】
2016189893.tif 000014
【図１１】
2016189893.tif 000015
【図１２】
2016189893.tif 000016
【図１３】
2016189893.tif 000017
【図１４】
2016189893.tif 000018
【図１５】
2016189893.tif 000019
【国際調査報告】
2016189893.tif 000020
2016189893.tif 000021
2016189893.tif 000022
2016189893.tif 000023